(57)【要約】【課題】プリンタ装置において、排出トレイに大量の記録用紙が積載された場合であっても、排出トレイが記録用紙の重量でたわまないようにし、記録用紙が排出トレイからこぼれ落ちないようにする。【解決手段】トレイ支持部３は、排出トレイ２の格納状態において（図３（ａ））、排出トレイ２を装置載置面Ｆからオフセットした状態で支持し、排出トレイ２が引き出される過程において（図３（ｂ））、排出トレイ２の後端２ａ付近が装置載置面Ｆに近づくように排出トレイ２を支持し、排出トレイ２の引き出し完了状態において（図３（ｃ））、排出トレイ２の前端付近のリブ２１及び排出トレイ２の後端２ａ付近が装置載置面Ｆに接地するように排出トレイ２をガイドする。排出トレイ２は、引き出し完了状態において、排出トレイ２のリブ２１と後端２ａ付近の２点で支持されるので、大量の記録用紙が積載された場合であってもたわむことがない。【選択図】  図３
2006199433.tif 000002
【特許請求の範囲】
【請求項１】
プリントされ、排出された記録用紙を積載保持する排出トレイと、装置本体側に設けられ、該排出トレイを装置本体底部から記録用紙の排出方向に沿って引き出し自在に支持するトレイ支持部とを備えたプリンタ装置において、
前記排出トレイは、該排出トレイの前端付近に、該排出トレイの下方に向けて突出形成されたリブと、該排出トレイの後端付近に、該排出トレイの側方に向けて突出形成された第１のボスと、該第１のボスより前方位置に、該排出トレイの側方に向けて、第１のボスより長くなるように突出形成された第２のボスとを有し、
前記トレイ支持部は、前記第１のボスと嵌合する第１のガイド溝と、前記第２のボスと嵌合するように前記第１のガイド溝より深い溝が形成された第２のガイド溝とを、装置本体内に設けられた対向する両側壁体に有し、
前記第２のガイド溝は、前記排出トレイの格納状態から引き出し完了状態に亘って前記第２のボスをガイドするために、後方から前方に向かって装置載置面からの高さが低くなる傾斜面を有し、
前記第１のガイド溝は、前記第２のガイド溝の上方に位置し、且つ、第２のガイド溝に対して、前記第１のボスと前記第２のボスの間隔だけ後方に位置するように前記第２のガイド溝と略平行に配置され、前記排出トレイが引き出される過程において前記第１のボスに対する支持を解放するために、第１のガイド溝と第２のガイド溝が上下方向に重なる部位に、第２のガイド溝と連通する連通部を有し、
前記トレイ支持部は、
前記排出トレイの格納状態において、前記第１のガイド溝で前記第１のボスを支持すると共に、前記第２のガイド溝で前記第２のボスを支持して該排出トレイを装置載置面からオフセットした状態で支持し、
前記排出トレイが引き出される過程において、前記第２のガイド溝で前記第２のボスを支持すると共に、前記連通部において、前記第１のボスに対する支持を解放して該排出トレイの後端付近が装置載置面に近づくように該排出トレイを支持し、
前記排出トレイの引き出し完了状態において、前記排出トレイの前端付近のリブ及び排出トレイの後端付近が装置載置面に接地するように該排出トレイをガイドすることを特徴とするプリンタ装置。
【請求項２】
プリントされ、排出された記録用紙を積載保持する排出トレイと、装置本体側に設けられ、該排出トレイを装置本体底部から記録用紙の排出方向に沿って引き出し自在に支持するトレイ支持部とを備えたプリンタ装置において、
前記排出トレイは、該排出トレイの前端付近に、該排出トレイの下方に向けて突出形成されたリブを有し、
トレイ支持部は、前記排出トレイの格納状態において、該排出トレイを装置載置面からオフセットした状態で支持し、前記排出トレイが引き出される過程において、該排出トレイの後端付近が装置載置面に近づくように該排出トレイを支持し、前記排出トレイの引き出し完了状態において、前記排出トレイのリブ及び排出トレイの後端付近が装置載置面に接地するように該排出トレイをガイドすることを特徴とするプリンタ装置。
【請求項３】
前記排出トレイは、該排出トレイの後端付近に、該排出トレイの側方に向けて突出形成された第１のボスと、該第１のボスより前方位置に、該排出トレイの側方に向けて突出形成された第２のボスとを有し、
前記トレイ支持部は、
前記第１のボスと対向するように設けられ前記排出トレイの格納状態において前記第１のボスを支持し、該排出トレイが引き出される過程で前記第１のボスに対する支持を解放する第１のガイド溝と、
前記第２のボスと対向するように設けられ前記排出トレイの格納状態から引き出し完了状態に亘って前記第２のボスをガイドし、後方から前方に向かって装置載置面からの高さが低くなる傾斜面を有する第２のガイド溝とを有し、
前記排出トレイの格納状態において、前記第１のガイド溝で前記第１のボスを支持すると共に、前記第２のガイド溝で前記第２のボスを支持して該排出トレイを装置載置面からオフセットした状態で支持し、
前記排出トレイが引き出される過程において、前記第２のガイド溝で前記第２のボスを支持すると共に、前記第１のボスに対する支持を解放して該排出トレイの後端付近が装置載置面に近づくように該排出トレイを支持し、
前記排出トレイの引き出し完了状態において、前記排出トレイの前端付近のリブ及び排出トレイの後端付近が装置載置面に接地するように該排出トレイをガイドすることを特徴とする請求項２に記載のプリンタ装置。
【発明の詳細な説明】
【技術分野】
【０００１】
本発明は、排出トレイを備えたプリンタ装置に関する。
【背景技術】
【０００２】
従来から、引き出し可能な排出トレイを備えたプリンタ装置が知られている（例えば、特許文献１及び特許文献２参照）。図７（ａ）に示されるように、このようなプリンタ装置１０１は、排出された記録用紙Ｐを積載保持する排出トレイ１０２と、装置本体側に設けられ、排出トレイ１０２を装置本体底部から記録用紙Ｐの排出方向ａに沿って引き出し自在に支持するトレイ支持部１０３とを備えている。通常、このような排出トレイ１０２は、排出トレイ１０２の前端側が後端側より高くなるようにし、排出トレイ１０２の前端付近が装置載置面Ｆからオフセットした状態になるようにして使用される。
【特許文献１】特開２００４−１８１８５３号公報
【特許文献２】特開２００４−３５２４８号公報
【発明の開示】
【発明が解決しようとする課題】
【０００３】
しかしながら、このような従来のプリンタ装置１０１においては、排出トレイ１０２を使用する際、排出トレイ１０２の前端付近が装置載置面Ｆからオフセットした状態で排出トレイ１０２が支持されていたため、図７（ｂ）に示されるように、排出トレイ１０２が記録用紙Ｐの重さでたわみ、記録用紙Ｐが排出トレイ１０２からこぼれ落ちる虞があった。
【０００４】
本発明は、上記の問題を解決するためになされたものであり、排出トレイに大量の記録用紙が積載された場合であっても、排出トレイが記録用紙の重量でたわまないようにし、記録用紙が排出トレイからこぼれ落ちないようにすることができるプリンタ装置を提供することを目的とする。
【課題を解決するための手段】
【０００５】
上記目的を達成するために請求項１の発明は、プリントされ、排出された記録用紙を積載保持する排出トレイと、装置本体側に設けられ、該排出トレイを装置本体底部から記録用紙の排出方向に沿って引き出し自在に支持するトレイ支持部とを備えたプリンタ装置において、前記排出トレイは、該排出トレイの前端付近に、該排出トレイの下方に向けて突出形成されたリブと、該排出トレイの後端付近に、該排出トレイの側方に向けて突出形成された第１のボスと、該第１のボスより前方位置に、該排出トレイの側方に向けて、第１のボスより長くなるように突出形成された第２のボスとを有し、前記トレイ支持部は、前記第１のボスと嵌合する第１のガイド溝と、前記第２のボスと嵌合するように前記第１のガイド溝より深い溝が形成された第２のガイド溝とを、装置本体内に設けられた対向する両側壁体に有し、前記第２のガイド溝は、前記排出トレイの格納状態から引き出し完了状態に亘って前記第２のボスをガイドするために、後方から前方に向かって装置載置面からの高さが低くなる傾斜面を有し、前記第１のガイド溝は、前記第２のガイド溝の上方に位置し、且つ、第２のガイド溝に対して、前記第１のボスと前記第２のボスの間隔だけ後方に位置するように前記第２のガイド溝と略平行に配置され、前記排出トレイが引き出される過程において前記第１のボスに対する支持を解放するために、第１のガイド溝と第２のガイド溝が上下方向に重なる部位に、第２のガイド溝と連通する連通部を有し、前記トレイ支持部は、前記排出トレイの格納状態において、前記第１のガイド溝で前記第１のボスを支持すると共に、前記第２のガイド溝で前記第２のボスを支持して該排出トレイを装置載置面からオフセットした状態で支持し、前記排出トレイが引き出される過程において、前記第２のガイド溝で前記第２のボスを支持すると共に、前記連通部において、前記第１のボスに対する支持を解放して該排出トレイの後端付近が装置載置面に近づくように該排出トレイを支持し、前記排出トレイの引き出し完了状態において、前記排出トレイの前端付近のリブ及び排出トレイの後端付近が装置載置面に接地するように該排出トレイをガイドすることを特徴とする。
【０００６】
請求項２の発明は、プリントされ、排出された記録用紙を積載保持する排出トレイと、装置本体側に設けられ、該排出トレイを装置本体底部から記録用紙の排出方向に沿って引き出し自在に支持するトレイ支持部とを備えたプリンタ装置において、前記排出トレイは、該排出トレイの前端付近に、該排出トレイの下方に向けて突出形成されたリブを有し、トレイ支持部は、前記排出トレイの格納状態において、該排出トレイを装置載置面からオフセットした状態で支持し、前記排出トレイが引き出される過程において、該排出トレイの後端付近が装置載置面に近づくように該排出トレイを支持し、前記排出トレイの引き出し完了状態において、前記排出トレイのリブ及び排出トレイの後端付近が装置載置面に接地するように該排出トレイをガイドすることを特徴とする。
【０００７】
請求項３の発明は、請求項２に記載のプリンタ装置において、前記排出トレイは、該排出トレイの後端付近に、該排出トレイの側方に向けて突出形成された第１のボスと、該第１のボスより前方位置に、該排出トレイの側方に向けて突出形成された第２のボスとを有し、前記トレイ支持部は、前記第１のボスと対向するように設けられ前記排出トレイの格納状態において前記第１のボスを支持し、該排出トレイが引き出される過程で前記第１のボスに対する支持を解放する第１のガイド溝と、前記第２のボスと対向するように設けられ前記排出トレイの格納状態から引き出し完了状態に亘って前記第２のボスをガイドし、後方から前方に向かって装置載置面からの高さが低くなる傾斜面を有する第２のガイド溝とを有し、前記排出トレイの格納状態において、前記第１のガイド溝で前記第１のボスを支持すると共に、前記第２のガイド溝で前記第２のボスを支持して該排出トレイを装置載置面からオフセットした状態で支持し、前記排出トレイが引き出される過程において、前記第２のガイド溝で前記第２のボスを支持すると共に、前記第１のボスに対する支持を解放して該排出トレイの後端付近が装置載置面に近づくように該排出トレイを支持し、前記排出トレイの引き出し完了状態において、前記排出トレイの前端付近のリブ及び排出トレイの後端付近が装置載置面に接地するように該排出トレイをガイドすることを特徴とする。
【発明の効果】
【０００８】
以上のように本発明によれば、排出トレイは、引き出し完了状態において、排出トレイの前端付近のリブ及び排出トレイの後端付近で装置載置面に接地して、排出トレイの前端付近と後端付近の２点で支持されるので、大量の記録用紙が積載された場合であってもたわむことがない。このため、記録用紙が排出トレイからこぼれ落ちることがない。
【０００９】
また、排出トレイは、格納状態において、装置載置面からオフセットした状態で支持されるので、ユーザが排出トレイを引き出す際、排出トレイの下側に指を差し込んで排出トレイをつかみ易くすることができる。また、排出トレイは、格納状態において、装置載置面からオフセットした状態で支持されるので、装置載置面に排出トレイが引っかかり難くなる。
【発明を実施するための最良の形態】
【００１０】
以下、本発明を具体化した一実施形態について図面を参照しつつ説明する。図１に示されるように、プリンタ装置１は、接続されたパソコン等から入力された画像データ（テキストデータも含む）に基づいて記録用紙に画像を記録する装置であり、プリントされ、排出口４から排出された記録用紙を積載保持する排出トレイ２と、この排出トレイ２を支持するトレイ支持部３とを備えている。同図においてａは、排出トレイ２が引き出される方向（記録用紙の排出方向）を示しており、２１は排出トレイ２に形成されたリブを示している。
【００１１】
排出トレイ２は、図２に示されるように、排出トレイ２の前端付近に、排出トレイ２の下方に向けて突出形成されたリブ２１と、排出トレイ２の後端付近に、排出トレイ２の側方に向けて突出形成された第１のボス２２と、第１のボス２２より所定間隔Ｈだけ前方位置に、排出トレイ２の側方に向けて、第１のボス２２より長くなるように突出形成された第２のボス２３とを有している。
【００１２】
トレイ支持部３は、装置本体側に設けられ、排出トレイ２を装置本体底部から記録用紙の排出方向ａに沿って引き出し自在に支持する。図３（ａ）〜（ｃ）は、プリンタ装置１の排出トレイ２及びトレイ支持部３のみを示した側面図であり、図３（ａ）は排出トレイ２の格納状態を、図３（ｂ）は排出トレイ２が引き出される過程を、図３（ｃ）は排出トレイ２の引き出し完了状態をそれぞれ示している。なお、図３（ａ）〜（ｃ）において、排出トレイ２については、第１のボス２２及び第２のボス２３のみを実線で示し、他の部分は一点鎖線で示している。各状態の詳細については後述する。
【００１３】
図４及び図５に示されるように、トレイ支持部３は、第１のボス２２と嵌合する第１のガイド溝３１と、第２のボス２３と嵌合するように第１のガイド溝３１より深い溝が形成された第２のガイド溝３２とを、装置本体内に設けられた対向する両側壁体３０ａ，３０ｂに有している。
【００１４】
第２のガイド溝３２は、排出トレイ２の格納状態から引き出し完了状態に亘って第２のボス２３をガイドするために、後方から前方に向かって装置載置面Ｆからの高さが低くなる傾斜面３３を有している。
【００１５】
なお、本明細書において、”第２のガイド溝で第２のボスをガイドする”とは、第２のガイド溝３２で第２のボス２３を支持しつつ第２のボス２３をガイドする場合、及び、単に第２のガイド溝３２で第２のボス２３の動作方向を制限して第２のボス２３をカイドする場合（すなわち、第２のガイド溝３２で第２のボス２３を支持しない場合）の両方を含み、”第２のガイド溝で第２のボスを支持する”と表現した場合と区別して使用する。また、”トレイ支持部で排出トレイをガイドする”についても同様に、トレイ支持部３で排出トレイ２を支持しつつ排出トレイ２をガイドする場合、及び、単にトレイ支持部３で排出トレイ２の動作方向を制限して排出トレイ２をカイドする場合の両方を含み、”トレイ支持部で排出トレイを支持する”と表現した場合と区別して使用する。
【００１６】
第１のガイド溝３１は、第２のガイド溝３２の上方に位置し、且つ、第２のガイド溝３２に対して、第１のボス２２と第２のボス２３の間隔Ｈだけ後方に位置するように第２のガイド溝３２と略平行に配置されている。また、第１のガイド溝３１は、排出トレイ２が引き出される過程において第１のボス２２に対する支持を解放するために、第１のガイド溝３１と第２のガイド溝３２が上下方向に重なる部位に、第２のガイド溝３２と連通する連通部３４を有している。
【００１７】
図３（ａ）及び図６（ａ）に示されるように、トレイ支持部３は、排出トレイ２の格納状態において、第１のガイド溝３１で第１のボス２２を支持すると共に、第２のガイド溝３２で第２のボス２３を支持して排出トレイ２を装置載置面Ｆからオフセットした状態で支持する。
【００１８】
そして、図３（ｂ）に示されるように、トレイ支持部３は、排出トレイ２が引き出される過程において、第２のガイド溝３２で第２のボス２３を支持すると共に、連通部３４において、第１のボス２２に対する支持を解放して排出トレイ２の後端２ａ付近が装置載置面Ｆに近づくように排出トレイ２を支持する。なお、本実施形態では、排出トレイ２は、第１のボス２２及び第２のボス２３のみでトレイ支持部３に支持されるので、排出トレイ２とトレイ支持部３の接触面積が小さくなる。このため、排出トレイ２とトレイ支持部３の間の摩擦が小さくなり、スムーズに排出トレイ２を引き出すことが可能となる。
【００１９】
排出トレイ２は、図３（ｃ）及び図６（ｂ）に示されるように、排出トレイ２の引き出し完了状態において、排出トレイ２のリブ２１及び排出トレイ２の後端２ａ付近が装置載置面Ｆに接地するように排出トレイ２をガイドする。なお、この状態において、排出トレイ２はリブ２１及び排出トレイ２の後端２ａ付近で支持されるので、第１のガイド溝３１及び第２のガイド溝３２は排出トレイ２を支持する必要はない。
【００２０】
以上のように本実施形態のプリンタ装置１によれば、排出トレイ２は、引き出し完了状態（図３（ｃ）の状態）において、排出トレイ２の前端付近のリブ２１及び排出トレイ２の後端２ａ付近で装置載置面Ｆに接地して、排出トレイ２の前端付近と後端２ａ付近の２点で支持されるので、大量の記録用紙が積載された場合であってもたわむことがない。このため、記録用紙が排出トレイ２からこぼれ落ちることがない。
【００２１】
また、排出トレイ２は、格納状態（図３（ａ）の状態）において、装置載置面Ｆからオフセットした状態で支持されるので、ユーザが排出トレイ２を引き出す際、排出トレイ２の下側に指を差し込んで排出トレイ２をつかみ易くすることができる。また、排出トレイ２は、格納状態において、装置載置面Ｆからオフセットした状態で支持されるので、装置載置面Ｆに排出トレイ２が引っかかり難くなる。
【００２２】
なお、本発明は上記実施形態の構成に限られることなく種々の変形が可能である。例えば、本実施形態においては、排出トレイ２側にボス２２，２３、及び装置本体側にガイド溝３１，３２を設けた場合について説明したが、装置本体側にボスを設け、排出トレイ側にガイド溝を設けるようにしてもよい。
【図面の簡単な説明】
【００２３】
【図１】本発明の一実施形態に係るプリンタ装置の排出トレイ付近の斜視図。
【図２】同排出トレイの斜視図。
【図３】（ａ）は同排出トレイの格納状態における排出トレイ及びトレイ支持部の側面図、（ｂ）は同排出トレイが引き出される過程における排出トレイ及びトレイ支持部の側面図、（ｃ）は同排出トレイの引き出し完了状態における排出トレイ及びトレイ支持部の側面図。
【図４】同トレイ支持部の両側壁体の斜視図。
【図５】図３（ａ）におけるＡ−Ａ線断面図。
【図６】（ａ）は同排出トレイの格納状態における排出トレイの後端付近の側面図、（ｂ）は同排出トレイの引き出し完了状態における排出トレイの後端付近の側面図。
【図７】（ａ）は従来例に係るプリンタ装置の側面図、（ｂ）は記録用紙の重さにより排出トレイがたわんだ状態の同プリンタ装置の側面図。
【符号の説明】
【００２４】
１    プリンタ装置
２    排出トレイ
３    トレイ支持部
２１  リブ
２２  第１のボス
２３  第２のボス
３１  第１のガイド溝
３２  第２のガイド溝
３３  傾斜面
３４  連通部
３０ａ，３０ｂ  両側壁体
【図１】
2006199433.tif 000003
【図２】
2006199433.tif 000004
【図３】
2006199433.tif 000005
【図４】
2006199433.tif 000006
【図５】
2006199433.tif 000007
【図６】
2006199433.tif 000008
【図７】
2006199433.tif 000009